(57)【特許請求の範囲】
【請求項１】
第１のフォーマット規格に準拠した第１のコンテンツデータを、第２のフォーマット規格に準拠した第２のコンテンツデータにフォーマット変換する装置であって、
前記第１のコンテンツデータから当該コンテンツデータの符号化に関する情報を抽出する抽出部と、
前記抽出部によって抽出された情報に基づいて、前記第１のコンテンツデータが前記第２のフォーマット規格において規定されている制約を満たしているか否かを判定する判定部と、
前記判定部による判定結果に基づいて、前記フォーマット変換において第１のコンテンツデータの復号が必要か否かを決定する決定部と、
前記決定部によって前記復号が不要であると決定されたとき、データ構造の変換によって前記フォーマット変換を行う変換部とを備えた
ことを特徴とするフォーマット変換装置。
【請求項２】
請求項１に記載のフォーマット変換装置において、
前記第１のコンテンツデータは画像データを含み、
前記抽出部は、前記画像データの符号化に関する情報を抽出するものであり、
前記判定部は、前記抽出部によって抽出された画像データの符号化に関する情報に基づいて、前記画像データが前記制約を満たしているか否かを判定するものであり、
前記決定部は、前記判定部によって前記画像データが前記制約を満たしていると判定されたとき、前記画像データの復号が不要であると決定するものである
ことを特徴とするフォーマット変換装置。
【請求項３】
請求項１に記載のフォーマット変換装置において、
前記第１のコンテンツデータは音声データを含み、
前記抽出部は、前記音声データの符号化に関する情報を抽出するものであり、
前記判定部は、前記抽出部によって抽出された音声データの符号化に関する情報に基づいて、前記音声データが前記制約を満たしているか否かを判定するものであり、
前記決定部は、前記判定部によって前記音声データが前記制約を満たしていると判定されたとき、前記音声データの復号が不要であると決定するものである
ことを特徴とするフォーマット変換装置。
【請求項４】
請求項１に記載のフォーマット変換装置において、
前記第１のコンテンツデータは画像データ及び音声データを含み、
前記抽出部は、前記画像データの符号化に関する情報と、前記音声データの符号化に関する情報とを抽出するものであり、
前記判定部は、前記抽出部によって抽出された画像データ及び音声データの符号化に関する情報に基づいて、前記画像データ及び前記音声データのそれぞれが前記制約を満たしているか否かを判定するものであり、
前記決定部は、前記判定部によって前記画像データ及び前記音声データがいずれも前記制約を満たしていると判定されたとき、前記画像データ及び前記音声データの復号が不要であると決定するものである
ことを特徴とするフォーマット変換装置。
【請求項５】
請求項１に記載のフォーマット変換装置において、
前記判定部による判定結果を一時的に蓄積するバッファを備え、
前記決定部は、前記バッファに蓄積された判定結果が所定量に達したとき、前記第１のコンテンツデータの復号が必要であるか否かを決定するものである
ことを特徴とするフォーマット変換装置。
【請求項６】
請求項１に記載のフォーマット変換装置において、
前記決定部の決定及び前記抽出部によって抽出された符号化に関する情報に基づいて、前記変換部におけるフォーマット変換に要する時間を算出する算出部を備えた
ことを特徴とするフォーマット変換装置。
【請求項７】
請求項１に記載のフォーマット変換装置において、
前記第１のコンテンツデータは画像データを含み、
前記抽出部は、前記画像データの符号化に関する情報を抽出するものであり、
前記変換部は、
前記画像データの復号画像のフィルタリング処理を行うフィルタ部と、
前記抽出部によって抽出された画像データの符号化に関する情報に基づいて、前記フィルタリングの強度を設定する強度設定部とを有するものである
ことを特徴とするフォーマット変換装置。
【請求項８】
多重化データを出力する請求項１に記載のフォーマット変換装置と、
前記フォーマット変換装置から出力された多重化データを受け、当該多重化データを所定のビットレートで出力する出力バッファと、
前記出力バッファから出力された多重化データを伝送する伝送路と、
前記伝送路によって伝送された多重化データから、復号すべき多重化データを出力する入力バッファと、
前記入力バッファから出力された多重化データを復号する動画像復号装置とを備えた
ことを特徴とする動画像復号システム。
【請求項９】
多重化データを出力する請求項１に記載のフォーマット変換装置と、
前記フォーマット変換装置から出力された多重化データを受け、当該多重化データを所定のビットレートで出力する出力バッファと、
前記出力バッファから出力された多重化データを記録媒体に記録する記録部と、
記録媒体に記録された多重化データを読み出す読出部と、
前記読出部によって読み出された多重化データから、復号すべき多重化データを出力する入力バッファと、
前記入力バッファから出力された多重化データを復号する動画像復号装置とを備えた
ことを特徴とする動画像復号システム。
【請求項１０】
第１のフォーマット規格に準拠した第１のコンテンツデータを、第２のフォーマット規格に準拠した第２のコンテンツデータにフォーマット変換する方法であって、
前記第１のコンテンツデータから当該コンテンツデータの符号化に関する情報を抽出する抽出ステップと、
前記抽出ステップにおいて抽出された情報に基づいて、前記第１のコンテンツデータが前記第２のフォーマット規格において規定されている制約を満たしているか否かを判定する判定ステップと、
前記判定ステップにおける判定結果に基づいて、前記フォーマット変換において第１のコンテンツデータの復号が必要か否かを決定する決定ステップと、
前記決定ステップにおいて前記復号が不要であると決定されたとき、データ構造の変換によって前記フォーマット変換を行う変換ステップとを備えた
ことを特徴とするフォーマット変換方法。
【請求項１１】
請求項１０に記載のフォーマット変換方法において、
前記第１のコンテンツデータは画像データを含み、
前記抽出ステップでは、前記画像データの符号化に関する情報が抽出され、
前記判定ステップでは、前記抽出ステップにおいて抽出された画像データの符号化に関する情報に基づいて、前記画像データが前記制約を満たしているか否かが判定され、
前記決定ステップでは、前記判定ステップにおいて前記画像データが前記制約を満たしていると判定されたとき、前記画像データの復号が不要であると決定される
ことを特徴とするフォーマット変換方法。
【請求項１２】
請求項１０に記載のフォーマット変換方法において、
前記第１のコンテンツデータは音声データを含み、
前記抽出ステップでは、前記音声データの符号化に関する情報が抽出され、
前記判定ステップでは、前記抽出ステップにおいて抽出された音声データの符号化に関する情報に基づいて、前記音声データが前記制約を満たしているか否かが判定され、
前記決定ステップでは、前記判定ステップにおいて前記音声データが前記制約を満たしていると判定されたとき、前記音声データの復号が不要であると決定される
ことを特徴とするフォーマット変換方法。
【請求項１３】
請求項１０に記載のフォーマット変換方法において、
前記第１のコンテンツデータは画像データ及び音声データを含み、
前記抽出ステップでは、前記画像データの符号化に関する情報と、前記音声データの符号化に関する情報とが抽出され、
前記判定ステップでは、前記抽出ステップにおいて抽出された画像データ及び音声データの符号化に関する情報に基づいて、前記画像データ及び前記音声データのそれぞれが前記制約を満たしているか否かが判定され、
前記決定ステップでは、前記判定ステップにおいて前記画像データ及び前記音声データがいずれも前記制約を満たしていると判定されたとき、前記画像データ及び前記音声データの復号が不要であると決定される
ことを特徴とするフォーマット変換方法。
【請求項１４】
請求項１０に記載のフォーマット変換方法において、
前記判定ステップにおける判定結果をバッファに一時的に蓄積する蓄積ステップを備え、
前記決定ステップでは、前記バッファに蓄積された判定結果が所定量に達したとき、前記第１のコンテンツデータの復号が必要であるか否かが決定される
ことを特徴とするフォーマット変換方法。
【請求項１５】
請求項１０に記載のフォーマット変換方法において、
前記決定ステップにおける決定及び前記抽出ステップにおいて抽出された符号化に関する情報に基づいて、前記変換ステップにおけるフォーマット変換に要する時間を算出する変換時間算出ステップを備えた
ことを特徴とするフォーマット変換方法。
【請求項１６】
請求項１０に記載のフォーマット変換方法において、
前記第１のコンテンツデータは画像データを含み、
前記抽出ステップでは、前記画像データの符号化に関する情報が抽出され、
前記変換ステップは、
前記画像データの復号画像のフィルタリング処理を行うステップと、
前記抽出ステップによって抽出された画像データの符号化に関する情報に基づいて、前記フィルタリングの強度を設定するステップとを有するものである
ことを特徴とするフォーマット変換方法。
【発明の詳細な説明】
【技術分野】
【０００１】
本発明は、フォーマット変換技術に関し、特に、コンテンツデータを記録媒体に記録する際のフォーマット変換技術に関する。
【背景技術】
【０００２】
光記録媒体の大容量化により、１本の映画等をＤＶＤ（Digital Versatile Disc）へ記録・再生する技術が普及している。リアルタイムでの記録容易性から、光記録媒体への記録にはビデオレコーディング規格が用いられ、再生のためにＤＶＤビデオ規格へのフォーマット変換が一般に行われている。従来、ビデオレコーディング規格に準拠したコンテンツデータに含まれる音声情報、画像情報又はデータのうちいずれか１つの符号化形式を維持しつつ、ＤＶＤビデオ規格に準拠したコンテンツデータを生成するフォーマット変換装置が提案されている（例えば、特許文献１参照）。これによると、ビデオレコーディング規格に準拠したコンテンツデータを、連続したコンテンツデータとして再生することなくＤＶＤビデオ規格に準拠したコンテンツデータに変換できる。
【０００３】
一方、デジタル衛星放送で配信された映画等を、ＤＶＤ等の光記録媒体に記録して再生する際に、デジタル衛星放送で用いられるInformation technology-Generic coding of moving pictures and associated audio information : Systems(ISO/IEC 13818-1)のトランスポートストリーム(以下、「ＴＳ」とも称する。)を、ＤＶＤビデオ規格に準拠したプログラムストリーム（以下、「ＰＳ」と称する）に直接フォーマット変換して、記録することができる。ＴＳのコンテンツデータに含まれる画像データ（以下、「ビデオエレメンタリ」とも称する。）の符号化形式と、ＰＳのビデオエレメンタリの符号化形式はいずれもInformation technology-Generic coding of moving pictures and associated audio information : Video(ISO/IEC 13818-2)である。ISO/IEC 13818-2準拠のビデオエレメンタリは連続するビデオフレームで構成されており、各ビデオフレームはＩピクチャ、Ｂピクチャ、Ｐピクチャの３種類のいずれかである。ビデオフレームの集合であるＧＯＰは、Ｉピクチャから次のＩピクチャの直前のビデオフレームまでのビデオフレームで構成される。
【特許文献１】特開２００３−２４２７２１号公報
【発明の開示】
【発明が解決しようとする課題】
【０００４】
ＤＶＤビデオ規格では、ビデオエレメンタリのデータ構造に制約があり、ＧＯＰに含まれるビデオフレーム数が１８以下と規定されている。しかし、デジタル衛星放送のビデオエレメンタリの構成が上記の制約を満たしていない場合がある。このため、デジタル衛星放送で配信されたＴＳのビデオエレメンタリを一旦再生し、それをＤＶＤビデオ規格に準拠するビデオエレメンタリに再符号化してから、ＰＳのビデオエレメンタリにフォーマット変換する必要がある。しかし、これは、フォーマット変換に時間がかかるため好ましくない。また、全てのビデオエレメンタリを一旦再生してから再符号化するため画質が低下することがある。
【０００５】
上記問題に鑑み、本発明は、フォーマット変換を高速化しつつ、高品質なデータの提供が可能なフォーマット変換を実現することを課題とする。また、そのようなフォーマット変換を実行する装置を備えた動画像復号システムの提供を課題とする。
【課題を解決するための手段】
【０００６】
上記課題を解決するために本発明が講じた手段は、第１のフォーマット規格に準拠した第１のコンテンツデータを、第２のフォーマット規格に準拠した第２のコンテンツデータにフォーマット変換する装置であって、前記第１のコンテンツデータから当該コンテンツデータの符号化に関する情報を抽出する抽出部と、前記抽出部によって抽出された情報に基づいて、前記第１のコンテンツデータが前記第２のフォーマット規格において規定されている制約を満たしているか否かを判定する判定部と、前記判定部による判定結果に基づいて、前記フォーマット変換において第１のコンテンツデータの復号が必要か否かを決定する決定部と、前記決定部によって前記復号が不要であると決定されたとき、データ構造の変換によって前記フォーマット変換を行う変換部とを備えたものとする。
【０００７】
これによると、抽出部によって第１のコンテンツデータの符号化に関する情報が抽出され、これに基づいて第１のコンテンツデータが第２のフォーマット規格において規定された制約を満たしているか否かが判定部によって判定され、この判定結果に基づいて、決定部によってフォーマット変換において第１のコンテンツデータの復号が不要であると決定されたとき、変換部によってデータ構造の変換によるフォーマット変換が行われる。したがって、第１のコンテンツデータが第２のフォーマット規格において規定された制約を満たしているときには、第１のコンテンツデータを復号することなくフォーマット変換を行うことができるため、フォーマット変換時間が高速化し、またデータが劣化することがない。
【０００８】
具体的には、前記第１のコンテンツデータは画像データを含み、前記抽出部は、前記画像データの符号化に関する情報を抽出するものであり、前記判定部は、前記抽出部によって抽出された画像データの符号化に関する情報に基づいて、前記画像データが前記制約を満たしているか否かを判定するものであり、前記決定部は、前記判定部によって前記画像データが前記制約を満たしていると判定されたとき、前記画像データの復号が不要であると決定するものとする。
【０００９】
また、具体的には、前記第１のコンテンツデータは音声データを含み、前記抽出部は、前記音声データの符号化に関する情報を抽出するものであり、前記判定部は、前記抽出部によって抽出された音声データの符号化に関する情報に基づいて、前記音声データが前記制約を満たしているか否かを判定するものであり、前記決定部は、前記判定部によって前記音声データが前記制約を満たしていると判定されたとき、前記音声データの復号が不要であると決定するものとする。
【００１０】
また、具体的には、前記第１のコンテンツデータは画像データ及び音声データを含み、前記抽出部は、前記画像データの符号化に関する情報と、前記音声データの符号化に関する情報とを抽出するものであり、前記判定部は、前記抽出部によって抽出された画像データ及び音声データの符号化に関する情報に基づいて、前記画像データ及び前記音声データのそれぞれが前記制約を満たしているか否かを判定するものであり、前記決定部は、前記判定部によって前記画像データ及び前記音声データがいずれも前記制約を満たしていると判定されたとき、前記画像データ及び前記音声データの復号が不要であると決定するものとする。
【００１１】
好ましくは、上記のフォーマット変換装置は、前記判定部による判定結果を一時的に蓄積するバッファを備えたものとする。ここで、前記決定部は、前記バッファに蓄積された判定結果が所定量に達したとき、前記第１のコンテンツデータの復号が必要であるか否かを決定するものとする。
【００１２】
これによると、フォーマット変換において第１のコンテンツデータの復号が必要か否かを所望の単位で決定することができる。
【００１３】
また、好ましくは、上記のフォーマット変換装置は、前記決定部の決定及び前記抽出部によって抽出された符号化に関する情報に基づいて、前記変換部におけるフォーマット変換に要する時間を算出する算出部を備えたものとする。
【００１４】
これによると、算出されたフォーマット変換に要する時間を、必要に応じて事前にユーザに通知することができる。
【００１５】
また、好ましくは、前記第１のコンテンツデータは画像データを含み、前記抽出部は、前記画像データの符号化に関する情報を抽出するものであり、前記変換部は、前記画像データの復号画像のフィルタリング処理を行うフィルタ部と、前記抽出部によって抽出された画像データの符号化に関する情報に基づいて、前記フィルタリングの強度を設定する強度設定部とを有するものとする。
【００１６】
これによると、画像データの符号化情報に基づいて設定された強度で復号画像がフィルタリング処理されるため、復号画像に含まれるノイズや高周波数成分を除去することができる。
【００１７】
一方、本発明が講じた手段は、動画像復号システムとして、上記のフォーマット変換装置と、前記フォーマット変換装置から出力された第２のコンテンツデータを受け、当該第２のコンテンツデータを所定のビットレートで出力する出力バッファと、前記出力バッファから出力された第２のコンテンツデータを伝送する伝送路と、前記伝送路によって伝送された第２のコンテンツデータから、復号を行う第２のコンテンツデータを出力する入力バッファと、前記入力バッファから出力された第２のコンテンツデータを復号する動画像復号装置とを備えたものとする。
【００１８】
また、本発明が講じた手段は、動画像復号システムとして、上記のフォーマット変換装置と、前記フォーマット変換装置から出力された第２のコンテンツデータを受け、当該第２のコンテンツデータを所定のビットレートで出力する出力バッファと、前記出力バッファから出力された第２のコンテンツデータを記録媒体に記録する記録部と、記録媒体に記録された第２のコンテンツデータを読み出す読出部と、前記読出部によって読み出された第２のコンテンツデータから、復号を行う第２のコンテンツデータを出力する入力バッファと、前記入力バッファから出力された第２のコンテンツデータを復号する動画像復号装置とを備えたものとする。
【発明の効果】
【００１９】
以上、本発明によると、フォーマット変換に関して、フォーマット変換時間を高速化しつつ、高品質なデータの提供が可能となる。
【発明を実施するための最良の形態】
【００２０】
以下、本発明を実施するための最良の形態について、図面を参照しながら説明する。
【００２１】
（第１の実施形態）
図１は、第１の実施形態に係るフォーマット変換装置の構成を示す。本フォーマット変換装置１は、番組分離部１０、バッファ２０及び５０、抽出部３０、判定部４０、決定部６０、変換部７０及び算出部８０を備えている。説明の便宜のため、第１のフォーマット規格をＴＳとし、第２のフォーマット規格をＤＶＤビデオ規格に準拠したＰＳとする。フォーマット変換装置１は、デジタル衛星放送で用いられるＴＳのコンテンツデータをＤＶＤビデオ規格に準拠したＰＳのコンテンツデータにフォーマット変換して、光記録媒体（不図示）に記録するものとする。ＴＳはコンテンツデータとして番組Ａ及び番組Ｂを含み、光記録媒体（不図示）に番組Ａが記録されるものとする。
【００２２】
番組分離部１０は、ＴＳに含まれる番組Ａと番組Ｂから、光記録媒体（不図示）に記録すべき番組Ａを分離する。具体的には、ＴＳを構成する複数のＴＳパケットから、各ＴＳパケットに含まれるパックＩＤを参照して、番組Ａのビデオエレメンタリと番組Ａのオーディオエレメンタリとを含むＴＳパケットを抽出する。ＴＳの規格により、同じ番組のエレメンタリが多重されているＴＳパケットには同一のパックＩＤが付されている。番組分離部１０は、番組Ａに該当するパックＩＤを有するＴＳパケットを抽出することにより番組Ａを分離する。番組分離部１０によって分離された番組ＡのＴＳパケットは、バッファ２０に一時的に蓄積される。
【００２３】
抽出部３０は、番組ＡのＴＳパケットに含まれるビデオエレメンタリからその符号化に関する情報ｄｖを、オーディオエレメンタリからその符号化に関する情報ｄｏをそれぞれ抽出する。具体的には、抽出部３０は、情報ｄｖとして、番組Ａのビデオエレメンタリが多重されたＴＳパケットのビデオフレームのヘッダー部に付されたピクチャタイプに基づいて、ＧＯＰに含まれるフレーム数（以下、「ＧＯＰ＿Ｎ」と称する。）をＧＯＰ毎に抽出する。また、抽出部３０は、情報ｄｏとして、番組Ａのオーディオエレメンタリが多重されたＴＳパケットのオーディオフレームのヘッダー部に付されたオーディオモードを抽出する。
【００２４】
判定部４０は、抽出部３０によって抽出された情報ｄｖ及び情報ｄｏに基づいて、ビデオエレメンタリ及びオーディオエレメンタリのそれぞれがＤＶＤビデオ規格における制約を満たしているか否かを判定する。オーディオエレメンタリについての制約として、例えば、デュアルモノラルモードで符号化されたオーディオエレメンタリを含んではならないというものがある。なお、ビデオエレメンタリの制約については、上述したとおりである。具体的には、判定部４０は、情報ｄｖに含まれるＧＯＰ＿Ｎが１８以下のとき、対応するビデオフレームは制約を満たしていると判定する。一方、ＧＯＰ＿Ｎが１８より大きいとき、対応するビデオフレームは制約を満たしていないと判定する。同様に、判定部４０は、情報ｄｏに含まれるオーディオモードがデュアルモノラルモードでないとき、対応するオーディオフレームは制約を満たしていると判定する。一方、オーディオモードがデュアルモノラルモードであるとき、対応するオーディオフレームは制約を満たしていないと判定する。判定部４０の判定結果は、バッファ５０に一時的に蓄積される。
【００２５】
決定部６０は、バッファ５０に所定量の判定結果が蓄積されたとき、これらの判定結果に基づいて、フォーマット変換においてバッファ２０に蓄積されたＴＳパケットの復号が必要か否かを決定する。例えば、バッファ５０に蓄積される判定結果の所定量は、番組Ａに含まれる全てのＴＳパケットについての判定結果であるものとすると、決定部６０は、バッファ５０に蓄積されたビデオエレメンタリについての判定結果が全て「制約を満たしている」というものであるとき、フォーマット変換においてＴＳパケットに含まれるビデオエレメンタリの復号が不要であることを決定する。一方、決定部６０は、当該判定結果のうち「制約を満たしていない」ものが１つでも存在するとき、フォーマット変換においてＴＳパケットに含まれるビデオエレメンタリの復号が必要であることを決定する。なお、決定部６０は、ＴＳパケットに含まれるオーディオエレメンタリについても、ビデオエレメンタリと同様に、フォーマット変換における復号が必要か否かを決定する。
【００２６】
変換部７０は、決定部６０の決定にしたがって、バッファ２０に蓄積されたＴＳパケットをＰＳにフォーマット変換する。図２は、変換部７０の構成の一例を示す。変換部７０は、分離部７１、切替部７２ａ及び７２ｂ、復号部７３ａ及び７３ｂ、フィルタ部７４、再符号化部７５ａ及び７５ｂ、ＰＳ多重部７６及び強度設定部７７を備えている。
【００２７】
分離部７１は、番組ＡのＴＳパケットからビデオエレメンタリとオーディオエレメンタリを分離する。切替部７２ａは、決定部６０の決定にしたがって、分離部７１によって分離されたビデオエレメンタリの出力先を切り替える。具体的には、切替部７２ａは、決定部６０によってフォーマット変換においてビデオエレメンタリの復号が必要であると決定されたとき、ビデオエレメンタリを復号部７３ａに出力する。一方、切替部７２ａは、復号が不要であると決定されたとき、当該ビデオエレメンタリをＰＳ多重部７６に出力する。切替部７２ｂは、決定部６０の決定にしたがって、分離部７１によって分離されたオーディオエレメンタリの出力先を切り替える。具体的には、切替部７２ｂは、決定部６０によってフォーマット変換においてオーディオエレメンタリの復号が必要であると決定されたとき、オーディオエレメンタリを復号部７３ｂに出力する。一方、切替部７２ｂは、復号が不要であると決定されたとき、当該オーディオエレメンタリをＰＳ多重部７６に出力する。
【００２８】
復号部７３ａは、切替部７２ａから出力されたビデオエレメンタリを、例えばＩＴＵ−Ｒ  ＢＴ．６５６フォーマットの画像に復号する。復号部７３ｂは、切替部７２から出力されたオーディオエレメンタリを、例えばリニアＰＣＭ音声に復号する。フィルタ部７４は、例えばローパスフィルタであって、復号部７３ａによって復号された画像のフィルタリング処理を行う。フィルタ部７４のカットオフ周波数は可変である。
【００２９】
再符号化部７５ａは、フィルタ部７４によってフィルタリング処理された画像をＤＶＤビデオ規格準拠のビデオエレメンタリに再符号化する。再符号化部７５ｂは、復号部７３ｂによって復号された音声をＤＶＤビデオ規格準拠のオーディオエレメンタリに再符号化する。ＰＳ多重部７６は、切替部７２ａ又は再符号化部７５ａから出力されたビデオエレメンタリと、切替部７２ｂ又は再符号化部７５ｂから出力されたオーディオエレメンタリとを多重化して、ＤＶＤビデオ規格準拠のＰＳを生成する。
【００３０】
強度設定部７７は、情報ｄｖに基づいて、フィルタ部７４のカットオフ周波数を設定する。具体的には、強度設定部７７は、情報ｄｖに含まれるＧＯＰ＿Ｎが大きいほどカットオフ周波数が低くなるように設定する。即ち、フィルタ７４のフィルタ強度は、ＧＯＰ＿Ｎの値が大きいほど強くなる。
【００３１】
図１に戻り、算出部８０は、情報ｄｖ及び決定部６０の決定に基づいて、変換部７０におけるフォーマット変換に要するフォーマット変換時間を算出する。具体的には、算出部８０は、決定部６０によって、フォーマット変換においてビデオエレメンタリの復号が必要であると決定されたとき、ＧＯＰ＿Ｎの総和とビデオフレーム周期との積をフォーマット変換時間として算出する。一方、算出部８０は、復号が不要であると決定されたとき、ＧＯＰ＿Ｎの総和とビデオフレーム周期との積に係数（復号及び再符号化してフォーマット変換したときの変換速度／復号及び再符号化してフォーマット変換したときの変換速度）を乗じたものをフォーマット変換時間として算出する。
【００３２】
以上、本実施形態によると、記録すべき番組のビデオエレメンタリ又はオーディオエレメンタリのいずれかがＤＶＤビデオ規格における制約を満たしているときには、当該制約を満たしているものについてはデータ構造を直接変更してフォーマット変換されるため、フォーマット変換時間が短縮し、またデータが劣化することがない。また、ビデオエレメンタリの復号が必要な場合であっても、復号画像をフィルタリングしてから再符号化するため、復号画像に含まれるノイズや高周波成分が除去され、ブロックノイズ等の再符号化に伴うノイズを抑制することができる。
【００３３】
なお、ＴＳパケット毎にフォーマット変換における復号の要否を決定する場合には、バッファ５０を省略してもよい。この場合、算出部８０は、復号されるＧＯＰ＿Ｎの総和及び復号されないＧＯＰ＿Ｎの総和の変換時間を合計することによりフォーマット変換時間を算出する。これにより、制約を満たしていないＴＳパケットのビデオレメンタリ又はオーディオエレメンタリについてのみ復号を行えばよいため、フォーマット変換時間をさらに短縮することができ、また、データ劣化を最小限に抑制することが可能となる。さらに、受信したＴＳをわずかな時間差でフォーマット変換することができる。さらに、フォーマット変換において復号画像をフィルタリングしてから再符号化することにより、ブロックノイズ等の再符号化に伴うノイズを抑制することができ、復号を行った部分と、復号を行っていない部分の画質の変動を抑制し、視覚的に好ましい画像を提供することが可能となる。
【００３４】
また、決定部６０は、判定部４０によって情報ｄｖ及び情報ｄｏがいずれも「制約を満たしている」と判定された場合に、フォーマット変換におけるビデオレメンタリ及びオーディオエレメンタリの復号が不要であると決定するものであってもよい。
【００３５】
また、入力されるＴＳが１つの番組しか含んでいないことがわかっている場合は、番組分離部１０は省略してもよい。また、フィルタ部７４及び強度設定部７７は省略してもよい。また、フォーマット変換に要する時間を事前にユーザ等に通知する必要が特にない場合は、算出部８０を省略してもよい。ＴＳパケットは、ビデオエレメンタリ又はオーディオエレメンタリのいずれか一方を含むものであってもよい。
【００３６】
また、ビデオエレメンタリの符号化方式はISO/IEC 13818-2に限るものではなく、例えば、ISO/IEC 14496-2 Final Draft International Standard MPEG-4 Visual等の可変長符号化を含む他の符号化方式であってもよい。
【００３７】
また、ＴＳからＰＳへのフォーマット変換に限るものではなく、例えば、ＴＳからＡＳＦへのフォーマット変換等の符号化されたビデオエレメンタリとオーディオエレメンタリを多重する多重フォーマット間の変換であってもよい。
【００３８】
（第２の実施形態）
図３は、第２の実施形態に係る動画像復号システムの構成を示す。本動画像復号システム１００は、図１に示したフォーマット変換装置１、出力バッファ１０１、伝送路１０２、入力バッファ１０３、動画像復号装置１０４、映像データ再生装置１０５及び音声データ再生装置１０６を備えている。
【００３９】
フォーマット変換装置１は、詳しくは上述したとおりであるが、特に動画像復号装置１０４（デコーダモデル）を考慮して映像データ及び音声データを多重したＰＳを生成する。出力バッファ１０１は、フォーマット変換装置１から出力されたＰＳを所定のビットレートで出力する。出力バッファ１０１から出力されたＰＳは、伝送路１０２によって入力バッファ１０３に伝送される。入力バッファ１０３は、入力されたＰＳを動画像復号装置１０４の要求に応じて出力する。動画像復号装置１０４は、供給されたＰＳを符号化映像データと符号化音声データとに分離してから、符号化映像データを映像データに、符号化音声データを音声データにそれぞれ復号する。映像データ再生装置１０５及び音声データ再生装置１０６は、動画像復号装置１０４によって復号された映像データ及び音声データをそれぞれ再生する。
【００４０】
（第３の実施形態）
図４は、第３の実施形態に係る動画像復号システムの構成を示す。図３に示した構成と同様の機能を有するものについては同一の符号を付して説明を省略する。本動画像復号システム１００’は、図１に示したフォーマット変換装置１、出力バッファ１０１、入力バッファ１０３、動画像復号装置１０４、映像データ再生装置１０５、音声データ再生装置１０６、記録部１０７及び読出部１０８を備えている。記録部１０７は、出力バッファ１０１から出力されたＰＳを記録媒体に記録する。読出部１０８は、当該記録媒体に記録されているＰＳを読み出す。上記の構成により、本動画像復号システム１００’は、メモリ、磁気ディスク及び光ディスク等の記録媒体にＰＳを記録及び読み出し可能となっている。
【産業上の利用可能性】
【００４１】
本発明に係るフォーマット変換装置は、高速なフォーマット変換が可能であるため、大容量のフォーマット変換が必要な場合のフォーマット変換装置として有用である。
【図面の簡単な説明】
【００４２】
【図１】図１は、第１の実施形態に係るフォーマット変換装置の構成図である。
【図２】図２は、変換部の構成の一例を示す図である。
【図３】図３は、第２の実施形態に係る動画像復号システムの構成図である。
【図４】図４は、第３の実施形態に係る動画像復号システムの構成図である。
【符号の説明】
【００４３】
１  フォーマット変換装置
３０  抽出部
４０  判定部
５０  バッファ
６０  決定部
７０  変換部
７４  フィルタ部
７７  強度設定部
８０  算出部
１００、１００’  動画像復号システム
１０１  出力バッファ
１０２  伝送路
１０３  入力バッファ
１０４  動画像復号装置
１０７  記録部
１０８  読出部
【図１】
0004463850.tif 000002
【図２】
0004463850.tif 000003
【図３】
0004463850.tif 000004
【図４】
0004463850.tif 000005